(57)【要約】      （修正有）【課題】ワダチ等の道路の破損個所や修繕箇所の幅と深さの測定に最適な測量器具を提供する。【解決手段】長手方向に所定間隔のピッチで幅測定用の水平目盛１１ａが刻まれた長尺状の測量器具１０であって、測量器具１０の上側面から下側面に垂直方向に貫通した貫通孔が形成されており、その貫通孔には、垂直目盛１２ａが刻まれたゲージ１２が挿入される。このような測量器具１０をワダチＷ上に設置して写真を撮ることにより、水平目盛１１ａにより道路ＲのワダチＷの幅が分かる一方、ゲージ１２により道路ＲのワダチＷの深さがわかる。【選択図】図８
0003159407.tif 000002
【実用新案登録請求の範囲】
【請求項１】
長手方向に所定間隔のピッチで幅測定用の水平目盛が表示され、上側面から下側面に貫通する貫通孔が形成された長尺状の測量器具本体と、
長手方向に所定間隔のピッチで深さ測定用の垂直目盛が表示され、前記測量器具本体に形成された前記貫通孔に挿入され、先端が測定対象物に当たるまで自重で降下するゲージと、
を有することを特徴とする測量器具。
【請求項２】
請求項１記載の測量器具において、さらに、
前記測量器具本体の水平目盛は、前記測量器具本体の長手方向中央を０として、長手方向両側に向かって表示されており、
前記貫通孔は、前記測量器具本体の長手方向中央の０の位置と、両側の最終の水平目盛部分との少なくとも３か所設けられている、
ことを特徴とする測量器具。
【請求項３】
請求項１または請求項２に記載の測量器具において、さらに、
前記測量器具本体に形成された前記貫通孔に嵌まり、前記測量器具本体の長手方向のバランスを調整するバランスウエイトを有する、ことを特徴とする測量器具。
【請求項４】
請求項１〜請求項３のいずれか一の請求項に記載の測量器具において、さらに、
前記測量器具本体の前面には、昼間の写真撮影用に白地に黒文字で文字や目盛が描かれている一方、
前記測量器具本体の裏面には、夜間のストロボ発光の写真撮影用に黄色地に黒文字で文字や目盛が描かれている、ことを特徴とする測量器具。
【請求項５】
請求項１〜請求項４のいずれか一の請求項に記載の測量器具において、さらに、
前記測量器具本体の長手方向の長さは、１２０ｃｍで、かつ、短手方向の長さは、１０ｃｍであり、
前記測量器具本体の水平目盛は、５ｃｍ刻みで、１００ｃｍ分表示されている、ことを特徴とする測量器具。
【考案の詳細な説明】
【技術分野】
【０００１】
本考案は、道路等の現場を写真撮影する際、現場に置いて共に写す測量器具に関する。
【背景技術】
【０００２】
従来の測量器具として、例えば、図１１に示すように、棒状で軸方向に延びる収納空間部１００ｂを有し、目盛１００ａが描かれた第一のスケール１００と、棒状で軸方向に延びる第二のガイド溝２００ｂを有し、第一のスケール１００の収納空間部１００ｂに収納可能で、目盛２００ａが描かれた第二のスケール２００とを備える測量器具がある（例えば、特許文献１参照。）。
【先行技術文献】
【特許文献】
【０００３】
【特許文献１】特開２００９−１６２６８１号公報
【考案の概要】
【考案が解決しようとする課題】
【０００４】
ところで、最近は、道路管理等の際、ワダチ等のある道路を、カメラ等により撮影した現場写真等により道路管理を行っている。
【０００５】
しかし、前記背景技術の測量器具は、第一のスケール１００の目盛１００ａと、第二のスケール２００の目盛２００ａとがほぼ等間隔の目盛であるので、通常、測定すべき深さより幅の方が広いワダチ等の道路の破損個所や修繕箇所の幅と深さの測定にはあまり向かないと共に、前記の測量器具は、測量器具を作業者が支持して測定することを前提にしているので、この点でもワダチ等の道路の破損個所や修繕箇所の幅と深さの測定には、向いていない、という課題があった。
【０００６】
また、従来、道路管理や、道路の補修前後の書類等に添付する写真には、一貫性がなく、ワダチ等の道路の破損個所や修繕箇所の現場状況を伝える写真に、作業者が所有しているコンベックスルールや、定規、筆記具等を寸法の目安として置いて撮影したのでは、写真毎に異なる寸法の目安が写ることになるので、後から写真を見ても、数字が読めなかったり、一目見ても、ワダチ等の道路の破損個所や補修個所の大きさが分かり難い、という課題があった。
【０００７】
例えば、写真添付の説明書に、ワダチ幅約４０ｃｍ、ホール直径２０ｃｍ等と文章のみで書かれていた場合には、写真から伝わる視覚情報としてインパクトに欠ける一方、コンベックスルールや、筆記具、定規等を道路の破損個所や補修個所に置いての写真撮影では、道路の破損個所や補修個所が広い場合には、定規の文字が読めないことになる。
【０００８】
そこで、本考案は、ワダチ等の道路の破損個所や修繕箇所の幅と深さの測定に最適な測量器具を提供することを目的とする。
【課題を解決するための手段】
【０００９】
前記課題を解決するため、本考案の測量器具は、長手方向に所定間隔のピッチで幅測定用の水平目盛が表示され、上側面から下側面に貫通する貫通孔が形成された長尺状の測量器具本体と、長手方向に所定間隔のピッチで深さ測定用の垂直目盛が表示され、前記測量器具本体に形成された前記貫通孔に挿入され、先端が測定対象物に当たるまで自重で降下するゲージと、を有することを特徴とする測量器具である。
また、前記測量器具において、さらに、前記測量器具本体の水平目盛は、前記測量器具本体の長手方向中央を０として、長手方向両側に向かって表示されており、前記貫通孔は、前記測量器具本体の長手方向中央の０の位置と、両側の最終の水平目盛部分との少なくとも３か所設けられている、ようにしても良い。
また、前記測量器具において、さらに、前記測量器具本体に形成された前記貫通孔に嵌まり、前記測量器具本体の長手方向のバランスを調整するバランスウエイトを有する、ようにしても良い。
また、前記測量器具において、さらに、前記測量器具本体の前面には、昼間の写真撮影用に白地に黒文字で文字や目盛が描かれている一方、前記測量器具本体の裏面には、夜間のストロボ発光の写真撮影用に黄色地に黒文字で文字や目盛が描かれている、ようにしても良い。
また、前記測量器具において、さらに、前記測量器具本体の長手方向の長さは、１２０ｃｍで、かつ、短手方向の長さは、１０ｃｍであり、前記測量器具本体の水平目盛は、５ｃｍ刻みで、１００ｃｍ分表示されている、ようにしても良い。
【考案の効果】
【００１０】
本考案の測量器具は、長手方向に所定間隔のピッチで幅測定用の水平目盛が表示され、上側面から下側面に貫通する貫通孔が形成された長尺状の測量器具本体と、長手方向に所定間隔のピッチで深さ測定用の垂直目盛が表示され、測量器具本体に形成された貫通孔に挿入され、先端が道路のワダチ等の測定対象物に当たるまで自重で降下するゲージと、を有するので、測量器具本体の水平目盛により道路のワダチ等の幅が測定できる一方、ゲージの垂直目盛により道路のワダチ等の深さを測定することができ、道路等の現場を写真撮影する際、現場において共に撮影することにより、後から写真を見たときに、道路の破損個所や補修個所の大きさが容易に分かり、大きさの比較対象として使用することができると共に、また測量器具を支えていなくても倒れ難いので、ワダチ等の道路の破損個所や修繕箇所の幅と深さの測定とその写真撮影に最適である。
【図面の簡単な説明】
【００１１】
【図１】本考案の実施形態の測量器具１０（ゲージ収容時）の正面図である。
【図２】本考案の実施形態の測量器具１０の上面図である。
【図３】本考案の実施形態の測量器具１０の底面図である。
【図４】本考案の実施形態の測量器具１０の右側面図である。
【図５】（ａ），（ｂ）、それぞれ、本考案の実施形態の測量器具１０（ゲージ測定時）の正面図と、右側面図である。
【図６】本考案の実施形態のゲージ１２の一例を示す説明図である。
【図７】本考案の実施形態のバランスウエイト１３の一例を示す説明図である。
【図８】（ａ），（ｂ）、それぞれ、本実施形態の測量器具１０の使用方法について示す説明図である。
【図９】本実施形態の測量器具１０により道路のワダチＷの幅および深さを測定した状態を撮影した写真の一例を示す図である。
【図１０】（ａ），（ｂ）、それぞれ、本実施形態の測量器具１０におけるバランスウエートの使用方法の一例について示す説明図である。
【図１１】従来の測量器具の一例を示す説明図である。
【考案を実施するための形態】
【００１２】
次に、本考案の測量器具の実施形態について説明する。
【００１３】
図１は、本考案の実施形態の測量器具１０（ゲージ収容時）の正面図、図２は、本考案の実施形態の測量器具１０の上面図、図３は、本考案の実施形態の測量器具１０の底面図、図４は、本考案の実施形態の測量器具１０の右側面図、図５（ａ），（ｂ）は、本考案の実施形態の測量器具１０（ゲージ使用時）の正面図および右側面図である。
【００１４】
図１〜図５に示すように、実施形態の測量器具１０は、測量器具本体１１と、ゲージ１２と、バランスウエイト１３と、ハンドル１４とを有する。なお、後述するように、バランスウエイト１３と、ハンドル１４とは、省略しても良い。
【００１５】
測量器具本体１１は、アルミ等の軽量鋼材から構成されており、本実施形態では、車両のトランクや車両内に搭載することを考慮して、例えば、長手方向の長さ１２００ｍｍ、高さ１００ｍｍ、幅５０ｍｍとしている。また、測量器具本体１１は、ワダチ等の破損個所に置くことや、車両のトランクや車両内における収納時の安定性を考慮して、図４の右側面図に示すように、断面形状を長方形状に形成している。なお、測量器具本体１１の寸法や、形状、素材等はあくまで一例であり、本考案では、これに限定されるものではなく、木製により構成する等、適宜変更は可能である。
【００１６】
そして、測量器具本体１１の正面下側には、図１等に示すように、測量器具本体１１の長手方向中央を０として、両側に向かって１００ｍｍ、すなわち５ｃｍ刻み（ピッチ）で５０ｃｍまで幅測定用の水平目盛１１ａが印刷や刻印等されて表示されている。なお、図１等に示すように、１０ｃｍ毎の水平目盛１１ａの長さや太さは、５ｃｍ刻み（ピッチ）の水平目盛１１ａの長さや太さより大きくしている。なお、水平目盛１１ａの５ｃｍ刻み（ピッチ）の間隔や、水平目盛１１ａの長さや太さを１０ｃｍ刻み（ピッチ）、５ｃｍ刻み（ピッチ）で変えることは、あくまで一例であり、１ｃｍ刻み（ピッチ）の水平目盛１１ａにしたり、水平目盛１１ａの長さや太さを任意に変えたり、変えなくても勿論よい。
【００１７】
ここで、測量器具本体１１の正面下側では、昼間の写真撮影用に、白地に黒文字仕上げで文字や水平目盛１１ａが描かれている。
【００１８】
これに対し、測量器具本体１１の裏面下側には、図示はしないが、夜間のストロボ発光の写真撮影用に、黄色地に黒文字等で文字や水平目盛１１ａが描かれている。なお、測量器具本体１１の裏面下側に描かれている文字や水平目盛１１ａ等は、図１に示す正面図と同様である。なお、測量器具本体１１の正面が、昼間の写真撮影用であることが誰でも認識できるように、測量器具本体１１の正面に太陽のマークを描く一方、測量器具本体１１の裏面が、夜間の写真撮影用であることが誰でも認識できるように、測量器具本体１１の裏面に、月や星空のマーク等を描いたり、かかるシール等を貼るようにしても良い。
【００１９】
そして、正面および裏面の長手方向中央には、水平目盛１１ａとして、黒字の正方形を４５度傾斜させて白抜きで、“０（ゼロ）”が描かれている。
【００２０】
また、測量器具本体１１の長手方向中央の“０（ゼロ）”から両側１０ｃｍ、２０ｃｍ、３０ｃｍ、４０ｃｍの部分には、墨入れにより太めの黒線が描かれている。
【００２１】
そして、測量器具本体１１の長手方向中央から両側５０ｃｍの水平目盛１１ａの最終部分には、１０ｃｍ、２０ｃｍ、３０ｃｍ、４０ｃｍの水平目盛１１ａ部分と区別するため、黒字の三角印と、大きく、黒字により“５０ｃｍ”と描かれている。
【００２２】
さらに、測量器具本体１１の左右両端には、それぞれ、高さ方向に、黒太線１１ｂ，１１ｃが描かれている。黒太線１１ｂ，１１ｃの代わりに、黒のプラスック片を取り付けるようにしても良い。これにより、測量器具本体１１の全長が１２０ｃｍなので、遠くから見ても、あるいは写真に写して小さくなっても、黒太線１１ｂ，１１ｃが明瞭に認識することができ、その間が１２０ｃｍと一目瞭然にわかる。
【００２３】
つまり、測量器具本体１１では、５ｃｍ刻みで１００ｃｍまで水平目盛１１ａや数値が表示されており、１２０ｃｍ長の測量器具本体１１の左右両端には、それぞれ、高さ方向に、黒太線１１ｂ，１１ｃが表示されているので、写真により撮影しても、黒太線１１ｂ，１１ｃが明瞭に写り、１２０ｃｍと一目瞭然にわかることになる。
【００２４】
なお、測量器具本体１１の正面上側には、さらなる長さの指標とするため、長手方向の長さが２０ｃｍの黄色の線１１ｇと、長手方向の長さが４０ｃｍの赤色の線１１ｈとが描かれている。なお、測量器具本体１１の裏面は、黄色地であるので、図示はしないが、裏面上側に、長手方向の長さが４０ｃｍの赤色の線と、長手方向の長さが２０ｃｍの黒色の線等が描かれている。なお、測量器具本体１１の正面および裏面上側のこれらの各色の線は、省略しても勿論良い。
【００２５】
また、本実施形態の測量器具本体１１には、ゲージ１２を挿入し、ゲージ１２先端が道路のワダチ等の測定対象物に当たるまで自重で降下するように、測量器具本体１１上側面から下側面に貫通するゲージ１２の直径φ２０ｍｍより少し大きい径の貫通孔１１ｄ〜１１ｆが、測量器具本体１１中央の水平目盛１１ａにおける０の場所と、その中央から水平目盛１１ａが両側５０ｃｍの場所との、合計３箇所に形成されている。なお、この３箇所は、あくまで一例であり、中央の水平目盛１１ａにおける０の場所の１箇所でも、２箇所でも、さらには３箇所より多く、例えば、５ｃｍ刻みの水平目盛１１ａの線毎に形成するようにしても勿論よい。また、ワダチの深さの測定が不要な場合は、貫通孔１１ｄ〜１１ｆは、省略しても良い。
【００２６】
図６は、本実施形態のゲージ１２の一例を示す説明図である。
【００２７】
図６において、本実施形態のゲージ１２は、例えば、直径φ２０ｍｍ、長さＬ４００ｍｍのアルミやステンレスや鉄等の棒で構成されている。このゲージ１２は、測量器具本体１１に設けられた貫通孔１１ｄ〜１１ｆのいずれかに挿入され、ワダチ等の深さを測定するため、ゲージ１２の下端１２ｂから１０ｃｍの位置から表面に１ｃｍピッチで深さ測定用の垂直目盛１２ａが２０ｃｍ分刻まれ、測量器具本体１１上端での、上部読み取り方式としている。なお、ゲージ１２の直径φ２０ｍｍや、長さＬ４００ｍｍ、素材等もあくまで一例であり、これに限定されるものではない。
【００２８】
つまり、測量器具本体１１の高さが１０ｃｍであるので、測量器具本体１１に設けられた貫通孔１１ｄ〜１１ｆにゲージ１２を挿入すると、ゲージ１２は自重で降下し、ゲージ１２先端が測量器具本体１１の下端に位置した時に、ゲージ１２の垂直目盛１２ａの０が、ちょうど測量器具本体１１の上端に位置する。
【００２９】
ここで、測量器具本体１１は、ワダチ等の破損個所に置いた際の安定性を考慮して、図４の右側面図に示すように、断面形状を長方形状に形成しており、ゲージ１２よりも重量があるので、ゲージ１２を貫通孔１１ｄ〜１１ｆに挿入して、手を離しても、後述するバランスウエイト１３によりバランスを調整する場合を除き、測量器具本体１１およびゲージ１２は、安定する。
【００３０】
そのため、上部読み取り方式により、測量器具本体１１上端のところでゲージ１２の垂直目盛１２ａを読むことにより、測量器具本体１１下端から出ているゲージ１２の長さとなり、ワダチの深さを測定することができる。なお、ワダチの深さの測定が不要な場合は、ゲージ１２は省略しても良い。
【００３１】
なお、本実施形態では、図１に示すように、ゲージ１２を使用していない場合には、例えば、測量器具本体１１の上側面等に設けられているゲージクリップ１２ｂ，１２ｃに取り付けて、ゲージ１２を紛失しないようにしている。そして、ゲージ１２を使用して、ワダチの深さ等を測定する場合には、図５（ａ）に示すように、測量器具本体１１に設けられた貫通孔１１ｄ〜１１ｆのいずれかに挿入してワダチの深さ等を測定する。なお、ゲージ１２は、測量器具本体１１の上側面等に窪み等を設けておき、その窪み等に収納されるように構成しても勿論よいし、ゲージクリップ１２ｂ，１２ｃ無しに、保管するようにしても勿論よい。
【００３２】
図７は、本実施形態のバランスウエイト１３の一例を示す説明図である。
【００３３】
本実施形態のバランスウエイト１３は、鉄や銅等の重量鉄鋼等の素材からなり、バランスウエイト本体１３ａと、直径約φ２０ｍｍのバランスウエイト先端部１３ｂとから構成される。そして、後述するが、本実施形態のバランスウエイト１３は、バランスウエイト先端部１３ｂを測量器具本体１１に形成された貫通孔１１ｄ〜１１ｆに嵌め、測量器具本体１１の長手方向のバランスを調整して、測量器具本体１１を現場に置いた際に、測量器具本体１１を水平に保ったり、倒れないように保持できる程度の重量が必要である。なお、バランスウエイト１３は、測量器具本体１１に形成された貫通孔１１ｄ〜１１ｆに嵌まる形式ではなく、測量器具本体１１の側面を、その長手方向にスライドするようにしても良いし、さらには、バランスウエイト１３を省略しても構わない。
【００３４】
なお、ハンドル１４は、図４等に示すように、測量器具本体１１の上面に、本器具使用時には起き上がり、本器具不使用時には倒れるように取り付けられており、省略されていても勿論良い。
【００３５】
次に、本実施形態の測量器具１０の使用方法について説明する。
【００３６】
図８（ａ），（ｂ）は、本実施形態の測量器具１０の使用方法について示す説明図である。
【００３７】
例えば、道路Ｒ上の窪みないしは凹部であるワダチＷのある道路Ｒに、本実施形態の測量器具１０を設置する。
【００３８】
その際、ワダチＷの高さを計測する必要がない場合は、図８（ａ）に示すように、本実施形態の測量器具１０をワダチＷのある道路Ｒに置くだけで、ゲージ１２を測量器具本体１１に設けられた貫通孔１１ｄ〜１１ｆに挿入する必要がない。ここで、図８（ａ）によれば、ワダチＷの幅は、昼間であれば測量器具本体１１正面の、白地に黒文字仕上げの水平目盛１１ａにより、約８０ｃｍと、計測することができる。
【００３９】
そして、このような状態で、デジタルカメラ等の撮影装置により、ワダチＷのある道路Ｒと、測量器具１０とを写真撮影する。なお、夜間であれば、測量器具本体１１裏面の、黄色地に黒文字仕上げの水平目盛１１ａに向けてフラッシュ写真撮影等を行う。
【００４０】
その一方、ワダチＷの深さも測定する場合には、図８（ｂ）に示すように、本実施形態の測量器具１０をワダチＷのある道路Ｒに置き、さらに測量器具本体１１に設けられた貫通孔１１ｄ〜１１ｆのいずれか、例えば、図８（ｂ）に示すように、中央の貫通孔１１ｅにゲージ１２を挿入する。
【００４１】
このようにすれば、測量器具本体１１正面または裏面の水平目盛１１ａにより道路のワダチＷの幅だけでなく、ゲージ１２の垂直目盛１２ａにより道路のワダチＷの深さも測定することができる。そして、この状態で、デジタルカメラ等の撮影装置により、ワダチＷのある道路Ｒと、測量器具１０とを写真撮影する。
【００４２】
図９（ａ）〜（ｃ）は、本実施形態の測量器具１０により道路のワダチＷの幅および深さを測定した図８（ｂ）に示す状態を撮影した現場写真９０〜９２の一例を示す図である。
【００４３】
具体的には、図９（ａ）は、測量器具１０全体が写るように測量器具１０を中程度の大きさに撮影した現場写真９０、図９（ｂ）は、ワダチＷまたはゲージ１２をアップで撮影したため測量器具１０全部が写らなかった現場写真９１、図９（ｃ）は、道路Ｒ全体を撮影したため測量器具１０が小さく写っている現場写真９２である
【００４４】
図９（ａ）〜（ｃ）のいずれの現場写真９０〜９２の場合にも、長手（横）方向の長さが１２０ｃｍ、短手（縦）方向の高さが１０ｃｍと決められた、すなわち外寸が標準化された測量器具１０がワダチＷ等の現場に写っているので、この測量器具１０に対する相対的な大きさにより、ワダチＷのおよその幅や深さを、一目で理解することができる。
【００４５】
これにより、長手方向の長さが１２０ｃｍと決められた測量器具１０を、常に、ワダチＷ等の破損個所や修繕箇所に設置して撮影するように決めておけば、図９（ａ）〜（ｃ）に示すように、現場写真９０〜９２の大きさが異なっていたり、あるいは写真に測量器具１０が大きく写っていたり、小さく写っていても、この測量器具１０に対する相対的な大きさにより、すなわち測量器具１０を大きさの目安（基準）として利用することにより、ワダチＷ等の破損個所や修繕箇所のおよその幅や深さを、一目で理解することができることになる。
【００４６】
次に、本実施形態の測量器具１０におけるバランスウエート１３の使用方法の一例について説明する。
【００４７】
図１０（ａ），（ｂ）、それぞれ、本実施形態の測量器具１０におけるバランスウエート１３の使用方法の一例について示す説明図である。
【００４８】
バランスウエイト１３は、前述したように、測量器具本体１１に形成された貫通孔１１ｄ〜１１ｆに嵌めて、測量器具本体１１を人間の手や石等により押さえておかないでも、安定して道路上に設置して、ワダチＷに所望の状態で測定できるようにしたものである。これは、基本的には、測量器具１０等を用いた測量や現場撮影の場合には、測量器具１０等を押さえる者と、撮影する者との２名必要であるが、測量器具１０をワダチＷ等に置いて、１名で現場撮影が可能にするものである。
【００４９】
例えば、図１０（ａ）に示すようなワダチＷであれば、測量器具本体１１の重心である中央の水平目盛１１ａの０の部分が、ワダチＷの周縁部Ｗ１より外側にあるので、バランスウエイト１３がなくても、測量器具１０が安定して設置可能であり、ゲージ１２の垂直目盛１２ａにより、ワダチＷの深さを測定することができる。
【００５０】
これに対し、例えば、図１０（ｂ）に示すようなワダチＷであれば、測量器具本体１１の重心である中央の水平目盛１１ａ中央の０の部分が、ワダチＷの周縁部Ｗ１より内側、すなわちワダチ側に来る場合には、ゲージ１２が挿入された貫通孔１１ｆ（図２参照）とは反対側部分を押さえない限り、測量器具本体１１がワダチＷの中に傾いてしまい、ワダチＷの深さを測定することができない。
【００５１】
そのため、図１０（ｂ）に示すように、ゲージ１１を挿入する測量器具本体１１の貫通孔１１ｆとは反対側の貫通孔１１ｄ（図２参照）にバランスウエイト１３を嵌めることにより、測量器具本体１１の長手方向のバランスをとって、測量器具本体１１を水平状態等に安定して保持することができ、ゲージ１２の垂直目盛１２ａにより、ワダチＷの深さを測定することができる。
【００５２】
従って、本考案の測量器具１０によれば、長手方向に所定間隔のピッチで幅測定用の水平目盛１１ａが刻まれており、測量器具１０の上側面から下側面に垂直方向に貫通した貫通孔１１ｄ〜１１ｆが形成されており、貫通孔１１ｄ〜１１ｆには、垂直目盛１２ａが刻まれたゲージ１１が挿入されるので、道路等の現場を写真撮影する際、現場において共に撮影することにより、大きさの比較対象として使用することができる。
【００５３】
また、本考案の測量器具１０は、長手方向の長さがほぼ１２０ｃｍであるので、ほとんどの車両のトランク等に収納することができ、運搬にも便利である。
【００５４】
また、本考案の測量器具１０は、５ｃｍ刻みの水平目盛１１ａが刻まれているので、測量器具１０を現場においてカメラにより撮影した場合でも、水平目盛１１ａが細かすぎず、小さな写真にした場合でも、おおよその長さが一目了然に分かる。
【００５５】
特に、本考案の測量器具１０を、ワダチＷ等の破損箇所の撮影に常に用いるようにすれば、写真の縮尺や大きさが変わっても、長手（横）方向の長さがほぼ１２０ｃｍで、短手（縦）方向の長さが１０ｃｍで、５ｃｍ刻みの水平目盛１１ａが付された標準化された測量器具１０がワダチＷ等の破損個所とともに写っていれば、ワダチＷ等の破損箇所の、おおよその幅や深さ等が一目瞭然でわかり、ワダチ等の道路の破損個所や修繕箇所の幅と深さの測定に最適である。
とても便利である。
【００５６】
また、本考案の測量器具１０では、測量器具本体１１の水平目盛１１ａは、測量器具本体１１の長手方向中央を０として、その中央から長手方向両側に向かって５０ｃｍまで表示されており、ゲージ１２を通すための貫通孔１１ｄ〜１１ｆが、測量器具本体の長手方向中央の０の位置と、両側の最終の水平目盛部分の５０ｃｍの少なくとも３か所設けられているので、この点でも、ワダチＷ等の破損箇所の幅や深さ測定に最適である。
【００５７】
また、本考案の測量器具１０では、測量器具本体１１に形成された貫通孔１１ｄ〜１１ｆにバランスウエイト１３を嵌めて、測量器具本体１１の長手方向のバランスを調整するようにしたので、ワダチＷ等の破損箇所に測量器具１０を置いた場合に、測量器具本体１１の長手方向のバランスがとれず、測量器具本体１１がワダチＷ等の中に傾くことを防止することができる。その結果、測量器具１０を押さえる者を省略することができ、１人で現場の測定および写真撮影が可能となり、この点でも、ワダチＷ等の破損箇所の幅や深さ測定に最適である。
【００５８】
また、本考案の測量器具１０では、測量器具本体１１の前面には、昼間の写真撮影用に白地に黒文字で文字や目盛１２ａが描かれている一方、測量器具１１本体の裏面には、夜間のストロボ発光の写真撮影用に黄色地に黒文字で文字や目盛１２ｂが描かれているので、昼間も夜間も使用することができ、この点でも、ワダチＷ等の破損箇所の幅や深さ測定に最適である。
【００５９】
なお、本考案の測量器具は、前記実施形態のものに限定されるものではなく、前記実施形態のものはあくまで一例である。例えば、本考案の測量器具１０により水平も測れるように、水平レベルが設けられていても勿論よいし、測量器具本体１１が長手方向に２つや、３つ等に分割され、組み立て形式に構成されていたり、さらには伸縮式のアンテナ等のように使用時には伸ばし、収納時には縮めることができるように構成しても勿論よい。
【産業上の利用可能性】
【００６０】
本考案の測量器具は、長手方向に所定間隔のピッチで幅測定用の水平目盛が表示され、上側面から下側面に貫通する貫通孔が形成された長尺状の測量器具本体と、長手方向に所定間隔のピッチで深さ測定用の垂直目盛が表示され、測量器具本体に形成された貫通孔に挿入されるゲージと、を有するので、測量器具本体の水平目盛により道路のワダチ等の幅が測定できる一方、ゲージの垂直目盛により道路のワダチ等の深さを測定することができ、道路等の現場を写真撮影する際、現場において共に撮影することにより、後から写真を見たときに、道路の破損個所や補修個所の大きさが容易に分かり、大きさの比較対象として使用することができると共に、また測量器具を押さえておかなくても倒れ難いので、ワダチ等の道路の破損個所や修繕箇所の幅と深さの測定とその写真撮影に最適であり、ワダチ等の道路の破損個所や修繕箇所の測定と写真撮影の際の標準スケール等として産業上の利表可能性が大きい。
【符号の説明】
【００６１】
１０  測量器具
１１  測量器具本体
１１ａ  水平目盛
１１ｄ〜１１ｆ  貫通孔
１２  ゲージ
１２ａ  水平目盛
１３  バランスウエイト
１４  ハンドル
【図１】
0003159407.tif 000003
【図２】
0003159407.tif 000004
【図３】
0003159407.tif 000005
【図４】
0003159407.tif 000006
【図５】
0003159407.tif 000007
【図６】
0003159407.tif 000008
【図７】
0003159407.tif 000009
【図８】
0003159407.tif 000010
【図９】
0003159407.tif 000011
【図１０】
0003159407.tif 000012
【図１１】
0003159407.tif 000013